(57)【要約】【課題】  処方オーダに含まれる薬品の提供形態および数量の誤オーダを防ぐことができる処方支援プログラムおよび処方支援装置を提供することを目的とする。【解決手段】  作成された処方オーダに含まれる１つ以上の薬品および薬品の提供形態の情報を取得する取得ステップと、作成された処方オーダに含まれる１つ以上の薬品および薬品の提供形態の情報に応じて薬品の画像を薬品の組み合わせおよび提供形態に応じて変化させ、薬品を処方するときの処方イメージを作成する作成ステップと、作成された処方オーダおよび処方イメージを表示手段に表示する処方内容表示ステップとをコンピュータに実行させることにより上記課題を解決する。【選択図】  図２０
2006285680.tif 000002
【特許請求の範囲】
【請求項１】
コンピュータに、
作成された処方オーダに含まれる１つ以上の薬品および前記薬品の提供形態の情報を取得する取得ステップと、
前記作成された処方オーダに含まれる１つ以上の薬品および前記薬品の提供形態の情報に応じて前記薬品の画像を前記薬品の組み合わせおよび提供形態に応じて変化させ、前記薬品を処方するときの処方イメージを作成する作成ステップと、
前記作成された処方オーダおよび処方イメージを表示手段に表示する処方内容表示ステップと
を実行させるための処方支援プログラム。
【請求項２】
前記作成ステップは、前記作成された処方オーダに含まれる薬品または薬品の組み合わせの数量に応じて前記薬品の画像を変化させることを特徴とする請求項１記載の処方支援プログラム。
【請求項３】
作成された処方オーダに含まれる１つ以上の薬品および前記薬品の提供形態の情報を取得する取得手段と、
前記作成された処方オーダに含まれる１つ以上の薬品および前記薬品の提供形態の情報に応じて前記薬品の画像を前記薬品の組み合わせおよび提供形態に応じて変化させ、前記薬品を処方するときの処方イメージを作成する作成手段と、
前記作成された処方オーダおよび処方イメージを表示手段に表示する処方内容表示手段と
を有することを特徴とする処方支援装置。
【発明の詳細な説明】
【技術分野】
【０００１】
本発明は、処方支援プログラムおよび処方支援装置に係り、特に処方オーダを扱う処方支援プログラムおよび処方支援装置に関する。
【背景技術】
【０００２】
従来、処方オーダシステムでは、医師などの利用者が処方オーダを発行するとき、薬品名等による検索や薬品名一覧からの選択により薬品の選択を行なう。つまり、従来の処方オーダシステムは文字情報により薬品の選択を行っていた。その為、従来のオーダシステムでは似た文字の薬品を誤って処方オーダ（誤オーダ）してしまうことがあった。
【０００３】
特許文献１には、薬袋に薬品のイメージを印刷する技術が記載されている。特許文献１に記載されている技術を適用した処方オーダシステムでは、選択した薬品のイメージを医師などの利用者に提示することが可能となるため、誤オーダの削減が期待出来る。
【特許文献１】実用新案登録第３０６８７１８号公報
【発明の開示】
【発明が解決しようとする課題】
【０００４】
しかしながら、処方オーダには単に薬品を指定するだけでなく、一包化や粉砕といった提供形態をも指定する必要がある。例えば特許文献１に記載されている技術は、薬品の外観や梱包状態などのイメージを薬袋に印刷するものであるため、提供形態のイメージを把握することができない。したがって、特許文献１に記載されている技術は、誤った提供形態で処方オーダを発行してしまっても気付かないという問題があった。
【０００５】
また、処方オーダは薬品の数量を指定する必要がある。例えば特許文献１に記載されている技術は、薬品の外観や梱包状態などのイメージを薬袋に印刷するものである為、処方した薬品の数量が適正であるか否かを把握できない。したがって、特許文献１に記載されている技術は、誤った数量で処方オーダを発行してしまっても気付かないという問題があった。
【０００６】
本発明は、上記の点に鑑みなされたもので、処方オーダに含まれる薬品の提供形態および数量の誤オーダを防ぐことができる処方支援プログラムおよび処方支援装置を提供することを目的とする。
【課題を解決するための手段】
【０００７】
上記課題を解決するため、本発明は、コンピュータに、作成された処方オーダに含まれる１つ以上の薬品および前記薬品の提供形態の情報を取得する取得ステップと、前記作成された処方オーダに含まれる１つ以上の薬品および前記薬品の提供形態の情報に応じて前記薬品の画像を前記薬品の組み合わせおよび提供形態に応じて変化させ、前記薬品を処方するときの処方イメージを作成する作成ステップと、前記作成された処方オーダおよび処方イメージを表示手段に表示する処方内容表示ステップとを実行させるための処方支援プログラムであることを特徴とする。
【０００８】
前記作成ステップは、前記作成された処方オーダに含まれる薬品または薬品の組み合わせの数量に応じて前記薬品の画像を変化させることを特徴としてもよい。
【０００９】
また、本発明は、作成された処方オーダに含まれる１つ以上の薬品および前記薬品の提供形態の情報を取得する取得手段と、前記作成された処方オーダに含まれる１つ以上の薬品および前記薬品の提供形態の情報に応じて前記薬品の画像を前記薬品の組み合わせおよび提供形態に応じて変化させ、前記薬品を処方するときの処方イメージを作成する作成手段と、前記作成された処方オーダおよび処方イメージを表示手段に表示する処方内容表示手段とを有することを特徴とする。
【００１０】
本発明では、薬品の組み合わせおよび提供形態に応じて薬品の画像を変化させて処方イメージを作成することにより、処方イメージの視認を容易にし、処方オーダに含まれる薬品の提供形態および数量の誤オーダを防ぐことができる。
【発明の効果】
【００１１】
本発明によれば、処方オーダに含まれる薬品の提供形態および数量の誤オーダを防ぐことができる処方支援プログラムおよび処方支援装置を提供可能である。
【発明を実施するための最良の形態】
【００１２】
次に、本発明を実施するための最良の形態を、以下の実施例に基づき図面を参照しつつ説明していく。
【実施例１】
【００１３】
図１は、本発明を利用した医療システムの一実施例のシステム構成図である。図１の医療システムは、処方オーダシステムの一例であって、処方オーダを発行する医師などの利用者により利用される。医療システムは、１つ以上のクライアント端末１００とサーバ装置１２０とがＬＡＮ（Ｌｏｃａｌ  Ａｒｅａ  Ｎｅｔｗｏｒｋ）などのネットワーク１４０を介して接続されている。
【００１４】
クライアント端末１００は、医療支援クライアントシステム１０１，オペレーティングシステム（以下、ＯＳという）１０３，表示制御部１０４，入力制御部１０５，通信制御部１０６，印刷制御部１０７を有する構成である。また、医療支援クライアントシステム１０１はブラウジングプログラム１０２，薬品マスタ１０８，用法マスタ１０９，形状ファイル１１０，コメントマスタ１１１，色マスタ１１２を有する構成である。サーバ装置１２０は、ＯＳ１２１，表示制御部１２２，入力制御部１２３，通信制御部１２４，医療支援サーバシステム１３０を有する構成である。
【００１５】
クライアント端末１００は、処方オーダを発行する医師などの利用者が操作する端末である。処方オーダを発行する利用者は、クライアント端末１００を操作して後述するように処方オーダを作成し、その処方オーダを発行する。クライアント端末１００は、発行された処方オーダをサーバ装置１２０に送信する。
【００１６】
医療システムのサーバ装置１２０は、発行された処方オーダを図２のような薬局システムや図示しない会計システムに送信する。図２は本発明を利用した薬局システムの一実施例のシステム構成図である。図２の薬局システムは、処方オーダを受けて調剤を行なう薬剤師などの利用者により利用される。薬局システムは、１つ以上のクライアント端末３００とサーバ装置３２０とがＬＡＮなどのネットワーク３４０を介して接続されている。
【００１７】
クライアント端末３００は、薬局クライアントシステム３０１，ＯＳ３０３，表示制御部３０４，入力制御部３０５，通信制御部３０７及び印刷制御部３０７を有する構成である。また、薬局クライアントシステム３０１はブラウジングプログラム３０２，薬品マスタ３０８，用法マスタ３０９，形状ファイル３１０，コメントマスタ３１１，色マスタ３１２を有する構成である。サーバ装置３２０は、ＯＳ３２１，表示制御部３２２，入力制御部３２３，通信制御部３２４，薬局サーバシステム３３０を有する構成である。
【００１８】
クライアント端末３００は、処方オーダを受けて調剤を行なう薬剤師などの利用者が操作する端末である。処方オーダを受けて調剤を行なう利用者は、クライアント端末３００を操作して後述するように処方オーダをディスプレイ等に表示又はプリンタ等で紙に印刷する。処方オーダを受けて調剤を行なう利用者は、ディスプレイ等に表示又はプリンタ等で紙に印刷された処方オーダを確認し、その処方オーダに従って調剤を行なう。
【００１９】
図３は、処方業務の一例を示すフローチャートである。処方業務は、処方オーダを発行する利用者（以下、単に医師という）が医療システムを利用して処方オーダを発行する業務と、処方オーダを受けて調剤を行なう利用者（以下、単に薬剤師という）が薬局システムを利用して処方オーダを確認し、その処方オーダに従って調剤を行なう業務とを含んでいる。
【００２０】
ステップＳ１に進み、医師はクライアント端末１００を操作して医療システムにログインし、患者を選択する。ステップＳ２に進み、医師は患者の病状に応じて患者に投与する薬品を決定する。そして、医師はクライアント端末１００に図４のような処方オーダ編集画面４００を表示させて処方オーダの作成を開始する。
【００２１】
図４は、処方オーダ編集画面４００の一例のイメージ図である。図４の処方オーダ編集画面４００は、エディタ部４１０及び処方イメージ表示部４２０から成る。エディタ部４１０は、医師が薬品，用法，一包化や粉砕といった提供形態などを入力して処方オーダを作成する欄である。また、処方イメージ表示部４２０はエディタ部４１０に作成された処方オーダに応じて処方イメージが表示される欄である。
【００２２】
ステップＳ３に進み、医師は図５に示すような投与薬検索処理により処方オーダを作成する。図５は、投与薬検索処理の一例を示すフローチャートである。ステップＳ２１に進み、医師はクライアント端末１００を操作して処方オーダ編集画面４００のエディタ部４１０に薬品名を部分入力する。例えば医師は薬品名「アリナミンＳ」を入力したいと考えているときに、薬品名の先頭から３文字「アリナ」を部分入力する。
【００２３】
医師から薬品名を部分入力されると、クライアント端末１００の入力制御部１０５はＯＳ１０３経由で医療支援クライアントシステム１０１のブラウジングプログラム１０２に部分入力された薬品名を通知する。
【００２４】
ステップＳ２２に進み、ブラウジングプログラム１０２は図６のような薬品マスタ１０８の薬品名部分を検索する。図６は、薬品マスタ１０８の一例の構成図である。ブラウジングプログラム１０２は、検索結果をＯＳ１０３経由で表示制御部１０４に通知する。表示制御部１０４は、検索結果一覧を処方オーダ編集画面４００のエディタ部４１０に表示する。例えばエディタ部４１０には検索結果一覧として「アリナミン，アリナミンＳ，アリナミン注射５ｍｌ」が表示される。
【００２５】
ステップＳ２３に進み、医師はクライアント端末１００を操作して、処方オーダ編集画面４００のエディタ部４１０に表示された検索結果一覧から薬品を確定する。例えば医師は検索結果一覧から「アリナミンＳ」を確定する。医師により薬品が確定されると、クライアント端末１００の入力制御部１０５はＯＳ１０３経由で医療支援クライアントシステム１０１のブラウジングプログラム１０２に確定された薬品を通知する。
【００２６】
ステップＳ２４に進み、ブラウジングプログラム１０２は図７のような用法マスタ１０９の用法名部分を検索する。図７は、用法マスタ１０９の一例の構成図である。ブラウジングプログラム１０２は、検索結果をＯＳ１０３経由で表示制御部１０４に通知する。表示制御部１０４は、検索結果である用法リストを処方オーダ編集画面４００のエディタ部４１０に表示する。エディタ部４１０には用法リストとして「１日１回，１日２回，痛いとき，かゆい時」等が表示される。
【００２７】
ステップＳ２５に進み、医師はクライアント端末１００を操作して、処方オーダ編集画面４００のエディタ部４１０に表示された用法リストから用法を確定する。医師により用法が確定されると、クライアント端末１００の入力制御部１０５はＯＳ１０３経由で医療支援クライアントシステム１０１のブラウジングプログラム１０２に確定された用法を通知する。
【００２８】
ステップＳ２６に進み、ブラウジングプログラム１０２は図８のようなコメントマスタ１１１のコメント名部分を検索する。図８は、コメントマスタ１１１の一例の構成図である。ブラウジングプログラム１０２は、検索結果をＯＳ１０３経由で表示制御部１０４に通知する。表示制御部１０４は、検索結果であるコメントリストを処方オーダ編集画面４００のエディタ部４１０に表示する。エディタ部４１０にはコメントリストとして「つぶし，1包化」等が表示される。医師はクライアント端末１００を操作して、処方オーダ編集画面４００のエディタ部４１０に表示されたコメントリストからコメントを確定する。なお、医師はコメントをフリーで入力し、確定してもよい。
【００２９】
医師によりコメントが確定されると、クライアント端末１００の入力制御部１０５はＯＳ１０３経由で医療支援クライアントシステム１０１のブラウジングプログラム１０２に確定されたコメントを通知したあと、投与薬検索処理を終了する。
【００３０】
図３のステップＳ４に進み、医師は投薬検索処理により入力した薬品を選択するか否かの指示をクライアント端末１００に入力する。医師から投薬検索処理により入力した薬品を選択するか否かの指示を入力されると、クライアント端末１００の入力制御部１０５はＯＳ１０３経由で医療支援クライアントシステム１０１のブラウジングプログラム１０２に投薬検索処理により入力した薬品を選択するか否かの指示を通知する。
【００３１】
投薬検索処理により入力した薬品を選択しない旨の指示を通知されると（Ｓ４においてＮＯ）、医療支援クライアントシステム１０１のブラウジングプログラム１０２はステップＳ３の投与薬検索処理に戻る。一方、投薬検索処理により入力した薬品を選択する旨の指示を通知されると（Ｓ４においてＹＥＳ）、医療支援クライアントシステム１０１のブラウジングプログラム１０２はステップＳ５に進む。
【００３２】
ステップＳ５に進み、医療支援クライアントシステム１０１のブラウジングプログラム１０２は図９に示すような処方内容表示処理を行う。図９は、処方内容表示処理の一例を示すフローチャートである。ステップＳ３１に進み、医療支援クライアントシステム１０１のブラウジングプログラム１０２は医師により選択された薬品の薬品コードを薬品マスタ１０８から取得する。
【００３３】
ステップＳ３２に進み、医療支援クライアントシステム１０１のブラウジングプログラム１０２は医師により選択された薬品の形状コードを薬品マスタ１０８から取得し、その形状コードで図１０のような形状ファイル１１０を検索する。図１０は、形状ファイル１１０の一例の構成図である。
【００３４】
ステップＳ３３に進み、医療支援クライアントシステム１０１のブラウジングプログラム１０２は医師により選択された薬品の色コードを薬品マスタ１０８から取得し、その色コードで図１１のような色マスタ１１２を検索する。図１１は、色マスタ１１２の一例の構成図である。
【００３５】
ステップＳ３４に進み、医療支援クライアントシステム１０１のブラウジングプログラム１０２は医師により選択された用法の用法コードを用法マスタ１０９から取得する。ステップＳ３５に進み、医療支援クライアントシステム１０１のブラウジングプログラム１０２は医師により選択された用法に用法画像が設定されている場合、その用法画像を取得する。ここで、用法画像とは用法を視覚的に表すものであり、例えば用法が発熱時であるときに、発熱している様子を表す顔などで構成される。
【００３６】
ステップＳ３６に進み、医療支援クライアントシステム１０１のブラウジングプログラム１０２は医師により選択されたコメントのコメントコードをコメントマスタ１１１から取得する。
【００３７】
ステップＳ３７に進み、医療支援クライアントシステム１０１のブラウジングプログラム１０２は医師により選択されたコメントに形状コードが設定されている場合、その形状コードで図１０のような形状ファイル１１０を検索し、その形状コードに対応する形状に薬品を変化させる。
【００３８】
例えばコメント名が「つぶし」である場合、医療支援クライアントシステム１０１のブラウジングプログラム１０２は医師により選択された薬品の形状を、つぶされた薬品の形状に変化させる。すなわち、提供形態に応じて薬品の形状を変化させたい場合はコメントマスタ１１１に形状コードを設定しておけばよい。
【００３９】
ステップＳ３８に進み、医療支援クライアントシステム１０１のブラウジングプログラム１０２は医師により選択されたコメントにフラグ（ＦＬＧ）が設定されている場合、そのフラグに応じて薬品を表示するときの見た目を変化させる。ここでは、一例として一包化のフラグが設定されていたときのステップＳ３８の処理を図１２のフローチャートに基づいて説明する。
【００４０】
図１２は、コメントに設定されているフラグに応じて、薬品を表示するときの見た目を変化させる処理の一例のフローチャートである。ステップＳ５１に進み、医療支援クライアントシステム１０１のブラウジングプログラム１０２は、コメントを付けた同一の用法内の薬品の画像を取得する。
【００４１】
ステップＳ５２に進み、医療支援クライアントシステム１０１のブラウジングプログラム１０２はステップＳ５１で取得した薬品の画像を１つの包の中に表示する。ステップＳ５３に進み、医療支援クライアントシステム１０１のブラウジングプログラム１０２は投与日数に応じて、ステップＳ５２で表示した包を１日分×投与日数分表示する。
【００４２】
例えば１包であれば、医療支援クライアントシステム１０１のブラウジングプログラム１０２は１包の画像を表示する。２，３包であれば、医療支援クライアントシステム１０１のブラウジングプログラム１０２は２，３包の画像を表示する。また、４包以上であれば医療支援クライアントシステム１０１のブラウジングプログラム１０２は４包以上の画像を表示し、図１３のように包数を補足として表示する。図１３は、一包化された薬品の画像を表したイメージ図である。図１３のイメージ図は２１包の画像を一例として表している。
【００４３】
図９のステップＳ３９に進み、医療支援クライアントシステム１０１のブラウジングプログラム１０２は処方量に応じて、処方オーダ編集画面４００の処方イメージ表示部４２０に表示する薬袋の見た目を変化させる。
【００４４】
図１４は、処方量に応じて、薬袋の見た目を変化させる処理の一例のフローチャートである。ステップＳ６１に進み、医療支援クライアントシステム１０１のブラウジングプログラム１０２は、作成した薬品の画像を全て含ませることができるように、薬袋を拡大表示する。ステップＳ６２に進み、医療支援クライアントシステム１０１のブラウジングプログラム１０２は処方量に応じて薬袋の厚みを変化させる。
【００４５】
図１４のフローチャートにより、医療支援クライアントシステム１０１のブラウジングプログラム１０２は、図１５のような薬袋マスタを利用して、図１６に示すように薬袋の大きさ及び厚みを変化させる。薬袋５００は、小さくて薄い薬袋を表す画像例である。薬袋５１０は、大きくて厚い薬袋を表す画像例である。
【００４６】
ここで、図１４のステップＳ６１の詳細について図１７のフローチャートを用いて説明する。図１７は、薬袋を拡大表示する処理の一例のフローチャートである。ステップＳ７１に進み、医療支援クライアントシステム１０１のブラウジングプログラム１０２は作成した薬品の画像数Ｎ(例えば、５個）を取得する。ステップＳ７２に進み、医療支援クライアントシステム１０１のブラウジングプログラム１０２は以下の式（１）によりＭ（例えば３）を取得する。
【００４７】
Ｍ＝ＲＯＵＮＤＵＰ（√Ｎ）・・・（１）
ステップＳ７３に進み、医療支援クライアントシステム１０１のブラウジングプログラム１０２はＭ×Ｍのマトリックスに薬品の画像を図１８のように配置する。図１８はマトリックスに配置された薬品の画像を表したイメージ図である。各行列の幅は、各行列に配置される薬品の画像の最大値Ｘ，Ｙとする。薬品の画像は、各セルの中央に配置する。
【００４８】
ステップＳ７４に進み、医療支援クライアントシステム１０１のブラウジングプログラム１０２はＸ，Ｙの大きい方をＭＡＸとし、ＭＡＸ≦Ｌ１，Ｌ１<ＭＡＸ≦Ｌ２，Ｌ２<ＭＡＸの場合に分けて処理を行う。
【００４９】
ＭＡＸ≦Ｌ１の場合、医療支援クライアントシステム１０１のブラウジングプログラム１０２は薬袋小のサイズにＭＡＸを縮小又は拡大する。Ｌ１<ＭＡＸ≦Ｌ２の場合、医療支援クライアントシステム１０１のブラウジングプログラム１０２は薬袋中のサイズにＭＡＸを縮小又は拡大する。Ｌ２<ＭＡＸの場合、医療支援クライアントシステム１０１のブラウジングプログラム１０２は薬袋大のサイズにＭＡＸを縮小又は拡大する。
【００５０】
ここで、図１４のステップＳ６２の詳細について図１９のフローチャートを用いて説明する。図１９は、処方量に応じて薬袋の厚みを変化させる処理の一例のフローチャートである。
【００５１】
ステップＳ８１に進み、医療支援クライアントシステム１０１のブラウジングプログラム１０２は１つの薬袋内に含まれる薬品の大きさ×剤数の合計値をＭとし、Ｍ<５０，５０≦Ｍ<１００，１００≦Ｍの場合に分けて処理を行う。Ｍ<５０の場合、医療支援クライアントシステム１０１のブラウジングプログラム１０２は薬袋の厚みを小とする。５０≦Ｍ<１００の場合、医療支援クライアントシステム１０１のブラウジングプログラム１０２は薬袋の厚みを中とする。１００≦Ｍの場合、医療支援クライアントシステム１０１のブラウジングプログラム１０２は薬袋の厚みを大とする。
【００５２】
図９のステップＳ４０に進み、医療支援クライアントシステム１０１のブラウジングプログラム１０２はステップＳ３１〜Ｓ３９の処理により作成された画像を処方オーダ編集画面４００の処方イメージ表示部４２０に表示する。ステップＳ４１に進み、医療支援クライアントシステム１０１のブラウジングプログラム１０２は処方オーダ編集画面４００の処方イメージ表示部４２０に表示された薬袋の画像に引用線を付け、処方オーダの内容を文字で表示する。
【００５３】
図２０は、処方オーダ及び処方イメージを含む処方内容が表示された処方オーダ編集画面４００の一例のイメージ図である。図２０の処方オーダ編集画面４００は、医師の作成した処方オーダおよび処方イメージを表している。
【００５４】
医師は処方オーダ編集画面４００を参照することで、処方オーダの内容を視覚的に理解できると共に、患者に薬品の用法を説明し易くなる。本発明による処方オーダ編集画面４００は、薬品の提供形態および数量に応じて処方イメージが変化する為、処方オーダに含まれる薬品の提供形態および数量の誤オーダを削減することができる。
【００５５】
図３のステップＳ６に進み、医師は処方オーダ編集画面４００を確認して、処方オーダを終了するか否かを判断する。処方オーダを終了しないと判断すると（Ｓ６においてＮＯ）、医師はステップＳ２に戻る。一方、処方オーダを終了すると判断すると（Ｓ６においてＹＥＳ）、医師はステップＳ７に進む。
【００５６】
ステップＳ７に進み、医師は処方オーダを発行するか否かを判断する。処方オーダを発行しないと判断すると（Ｓ７においてＮＯ）、医師は処方業務を終了する。処方オーダを発行すると判断すると（Ｓ７においてＹＥＳ）、医師はクライアント端末１００を操作して処方オーダ発行指示を行なう。
【００５７】
処方オーダ発行指示は、入力制御部１０５からＯＳ１０３経由で医療支援クライアントシステム１０１のブラウジングプログラム１０２に通知される。ステップＳ８に進み、医療支援クライアントシステム１０１のブラウジングプログラム１０２は図２１のような処方オーダ内容発行処理を行なう。
【００５８】
図２１は、処方オーダ内容発行処理の一例を示すフローチャートである。ステップＳ９１に進み、医療支援クライアントシステム１０１のブラウジングプログラム１０２は処方箋を印刷する。ステップＳ９２に進み、医療支援クライアントシステム１０１のブラウジングプログラム１０２は作成された処方イメージを印刷する。また、医療支援クライアントシステム１０１のブラウジングプログラム１０２は処方オーダおよび処方イメージを含む処方内容をサーバ装置１２０に送信する。
【００５９】
医療システムのサーバ装置１２０は、処方オーダおよび処方イメージを含む処方内容を図２のような薬局システムに送信する。薬局システムのサーバ装置３２０は受信した処方内容をクライアント端末３００に送信する。ステップＳ９に進み、クライアント端末３００の薬局クライアントシステム３０１は処方内容を受信する。
【００６０】
ステップＳ１０に進み、薬局クライアントシステム３０１のブラウジングプログラム３０２は前述したステップＳ５と同様な処理により、処方オーダおよび処方イメージを含む処方内容をディスプレイ等に表示する。ステップＳ１１に進み、薬剤師はディスプレイ等に表示された処方内容を処方オーダおよび処方イメージにより確認し、薬品を調剤することができる。
【実施例２】
【００６１】
図２２は、本発明を利用した医療システムの他の実施例のシステム構成図である。図２２の医療システムは、薬品マスタ１０８，用法マスタ１０９，形状ファイル１１０，コメントマスタ１１１，色マスタ１１２がサーバ装置１２０に含まれる点で図１の医療システムと異なる。
【００６２】
図２３は、本発明を利用した薬局システムの他の実施例のシステム構成図である。図２３の薬局システムは、薬品マスタ３０８，用法マスタ３０９，形状ファイル３１０，コメントマスタ３１１，色マスタ３１２がサーバ装置３２０に含まれる点で図２の薬局システムと異なる。
【００６３】
なお、図２２の医療システムおよび図２３の薬局システムの基本的な動作は実施例１と同様であるため、説明を省略する。
【００６４】
本発明は、以下に記載する付記のような構成が考えられる。
（付記１）
コンピュータに、
作成された処方オーダに含まれる１つ以上の薬品および前記薬品の提供形態の情報を取得する取得ステップと、
前記作成された処方オーダに含まれる１つ以上の薬品および前記薬品の提供形態の情報に応じて前記薬品の画像を前記薬品の組み合わせおよび提供形態に応じて変化させ、前記薬品を処方するときの処方イメージを作成する作成ステップと、
前記作成された処方オーダおよび処方イメージを表示手段に表示する処方内容表示ステップと
を実行させるための処方支援プログラム。
（付記２）
前記作成ステップは、前記作成された処方オーダに含まれる薬品または薬品の組み合わせの数量に応じて前記薬品の画像を変化させることを特徴とする付記１記載の処方支援プログラム。
（付記３）
前記作成ステップは、前記薬品の画像が薬袋に含まれているように前記処方イメージを作成するときに、前記作成された処方オーダに含まれる１つ以上の薬品または薬品の組み合わせの数量に応じて前記薬袋の画像を変化させることを特徴とする付記１又は２記載の処方支援プログラム。
（付記４）
前記作成ステップは、前記作成された処方オーダに含まれる用法の情報に応じて前記用法を表す画像を前記処方イメージに追加することを特徴とする付記１乃至３何れか一項記載の処方支援プログラム。
（付記５）
作成された処方オーダに含まれる１つ以上の薬品および前記薬品の提供形態の情報を取得する取得手段と、
前記作成された処方オーダに含まれる１つ以上の薬品および前記薬品の提供形態の情報に応じて前記薬品の画像を前記薬品の組み合わせおよび提供形態に応じて変化させ、前記薬品を処方するときの処方イメージを作成する作成手段と、
前記作成された処方オーダおよび処方イメージを表示手段に表示する処方内容表示手段と
を有することを特徴とする処方支援装置。
（付記６）
コンピュータを用いた処方支援方法であって、
前記コンピュータが、作成された処方オーダに含まれる１つ以上の薬品および前記薬品の提供形態の情報を取得する取得ステップと、
前記コンピュータが、前記作成された処方オーダに含まれる１つ以上の薬品および前記薬品の提供形態の情報に応じて前記薬品の画像を前記薬品の組み合わせおよび提供形態に応じて変化させ、前記薬品を処方するときの処方イメージを作成する作成ステップと、
前記コンピュータが、前記作成された処方オーダおよび処方イメージを表示手段に表示する処方内容表示ステップと
を有することを特徴とする処方支援方法。
【００６５】
本発明は、具体的に開示された実施例に限定されるものではなく、特許請求の範囲から逸脱することなく、種々の変形や変更が可能である。
【図面の簡単な説明】
【００６６】
【図１】本発明を利用した医療システムの一実施例のシステム構成図である。
【図２】本発明を利用した薬局システムの一実施例のシステム構成図である。
【図３】処方業務の一例を示すフローチャートである。
【図４】処方オーダ編集画面の一例のイメージ図である。
【図５】投与薬検索処理の一例を示すフローチャートである。
【図６】薬品マスタの一例の構成図である。
【図７】用法マスタの一例の構成図である。
【図８】コメントマスタの一例の構成図である。
【図９】処方内容表示処理の一例を示すフローチャートである。
【図１０】形状ファイルの一例の構成図である。
【図１１】色マスタの一例の構成図である。
【図１２】コメントに設定されているフラグに応じて、薬品を表示するときの見た目を変化させる処理の一例のフローチャートである。
【図１３】一包化された薬品の画像を表したイメージ図である。
【図１４】処方量に応じて、薬袋の見た目を変化させる処理の一例のフローチャートである。
【図１５】薬袋マスタの一例の構成図である。
【図１６】薬袋の大きさ及び厚みを変化させた様子を表したイメージ図である。
【図１７】薬袋を拡大表示する処理の一例のフローチャートである。
【図１８】マトリックスに配置された薬品の画像を表したイメージ図である。
【図１９】処方量に応じて薬袋の厚みを変化させる処理の一例のフローチャートである。
【図２０】処方オーダ及び処方イメージを含む処方内容が表示された処方オーダ編集画面の一例のイメージ図である。
【図２１】処方オーダ内容発行処理の一例を示すフローチャートである。
【図２２】本発明を利用した医療システムの他の実施例のシステム構成図である。
【図２３】本発明を利用した薬局システムの他の実施例のシステム構成図である。
【符号の説明】
【００６７】
１００，３００    クライアント端末
１０１    医療支援クライアントシステム
１０２，３０２    ブラウジングプログラム
１０３，１２１，３０３，３２１    オペレーティングシステム（ＯＳ）
１０４，１２２，３０４，３２２    表示制御部
１０５，１２３，３０５，３２３    入力制御部
１０６，１２４，３０６，３２４    通信制御部
１０７，３０７    印刷制御部
１０８，３０８    薬品マスタ
１０９，３０９    用法マスタ
１１０，３１０    形状ファイル
１１１，３１１    コメントマスタ
１１２，３１２    色マスタ
１２０，３２０    サーバ装置
１３０    医療支援サーバシステム
１４０    ネットワーク
３０１    薬局クライアントシステム
３３０    薬局サーバシステム
【図１】
2006285680.tif 000003
【図２】
2006285680.tif 000004
【図３】
2006285680.tif 000005
【図４】
2006285680.tif 000006
【図５】
2006285680.tif 000007
【図６】
2006285680.tif 000008
【図７】
2006285680.tif 000009
【図８】
2006285680.tif 000010
【図９】
2006285680.tif 000011
【図１０】
2006285680.tif 000012
【図１１】
2006285680.tif 000013
【図１２】
2006285680.tif 000014
【図１３】
2006285680.tif 000015
【図１４】
2006285680.tif 000016
【図１５】
2006285680.tif 000017
【図１６】
2006285680.tif 000018
【図１７】
2006285680.tif 000019
【図１８】
2006285680.tif 000020
【図１９】
2006285680.tif 000021
【図２０】
2006285680.tif 000022
【図２１】
2006285680.tif 000023
【図２２】
2006285680.tif 000024
【図２３】
2006285680.tif 000025